(57)【要約】【課題】  帯電させた液滴を噴出する静電噴霧部に対して高電圧を供給するケーブルの表面を伝うことによる漏電の発生を防止することができるようにする。【解決手段】  本発明の漏電防止部材１は、帯電させた液滴Ｄを噴出する静電噴霧部１５に対して高電圧を供給するケーブル１８の長さ方向の途中部１８ａに取り付けられ、該静電噴霧部１５における高電圧が該ケーブル１８の表面を伝って他の部位へ漏電することを防止するためのものである。そして、筒穴内にケーブル１８の途中部１８ａが挿通されるように構成された筒状の支持体２１と、該支持体２１の外周の全周に渡って設けられた環状凹部２５と、該支持体２１の内周面と該ケーブル１８の外周面との隙間をシールするシール部材２４とを備えている。支持体２１、環状凹部２５、及びシール部材２４は電気絶縁性材料からなっている。【選択図】      図１
2006136814.tif 000002
【特許請求の範囲】
【請求項１】
帯電させた液滴を噴出する静電噴霧部に対して高電圧を供給するケーブルの長さ方向の途中部に取り付けられ、該静電噴霧部における高電圧が該ケーブルの表面を伝って他の部位へ漏電することを防止するための漏電防止部材であって、
筒穴内に前記ケーブルの途中部が挿通されるように構成された筒状の支持体と、
該支持体の外周の全周に渡って設けられた環状凹部と、
該支持体の内周面と該ケーブルの外周面との隙間をシールするシール部材とを備え、
前記支持体、前記環状凹部、及び前記シール部材は電気絶縁性材料からなる漏電防止部材。
【請求項２】
帯電させた液滴を噴出する静電噴霧部に対して高電圧を供給するケーブルの長さ方向の途中部に取り付けられ、該静電噴霧部における高電圧が該ケーブルの表面を伝って他の部位へ漏電することを防止するための漏電防止部材であって、
前記ケーブルの途中部と前記他の部位との間に介装され、該途中部及び該他の部位間の間隔を保持するように延設された支持体と、
該支持体の外周の全周に渡って設けられた環状凹部とを備え、
前記支持体、及び前記環状凹部は電気絶縁性材料からなる漏電防止部材。
【請求項３】
前記環状凹部の奥行きが前記支持体の長さ方向へ延びている請求項１又は２記載の漏電防止部材。
【請求項４】
前記環状凹部の開口部が前記支持体の長さ方向へ向いているとともに、該開口部に対峙して該開口部の開口を狭める鍔部を備えた請求項３記載の漏電防止部材。
【請求項５】
少なくとも一対の前記環状凹部を備え、
該両環状凹部の開口部は互いに反対向きに設けられた請求項３又は４記載の漏電防止部材。
【発明の詳細な説明】
【技術分野】
【０００１】
本発明は、帯電させた液滴を噴出する静電噴霧部に対して高電圧を供給するケーブルの長さ方向の途中部に取り付けられ、該静電噴霧部における高電圧が該ケーブルの表面を伝って他の部位へ漏電することを防止するための漏電防止部材に関するものである。
【背景技術】
【０００２】
従来の静電噴霧装置として、特許文献１に開示された静電式薬液散布装置を例示する。この装置は作業者の背中に背負われる背負動力噴霧機を利用したものであり、図７に示すように、導電性の薬液を帯電させるため電極８２を噴頭８１に備えるとともに、該電極８２に高電圧を印加するための高電圧発生部８３を備えている。
【０００３】
【特許文献１】実公平６−４１６４１号公報
【発明の開示】
【発明が解決しようとする課題】
【０００４】
ところで、静電噴霧装置の薬液は、作物に効率よく付着するように、浸透性及び展着性を備えるように作成されているので、薬液の噴霧は噴頭８１の電極８２はもちろんながら、電極８２と高電圧発生部８３とを接続するケーブルの表面にもよく付着し、蓄積される。特に長時間にわたって連続噴霧をしていると、噴頭８１からケーブルへと薬液の連続膜が形成されて行く。前述したように薬液は導電性を備えているので、この連続膜を介して電極８２の高電圧がケーブルの表面を伝って背負動力噴霧機側（作業者側）へ伝わることになる。このため、例えば、この連続膜に作業者の手が触れたり、この連続膜が静電噴霧装置のアースされた部位に達したりすれば漏電が発生し、高電圧発生部８３に過大な電流が流れ、十分な静電効果が得られないという課題がある。
【課題を解決するための手段】
【０００５】
上記課題を解決するために、第１の発明の漏電防止部材は、
帯電させた液滴を噴出する静電噴霧部に対して高電圧を供給するケーブルの長さ方向の途中部に取り付けられ、該静電噴霧部における高電圧が該ケーブルの表面を伝って他の部位へ漏電することを防止するための漏電防止部材であって、
筒穴内に前記ケーブルの途中部が挿通されるように構成された筒状の支持体と、
該支持体の外周の全周に渡って設けられた環状凹部と、
該支持体の内周面と該ケーブルの外周面との隙間をシールするシール部材とを備え、
前記支持体、前記環状凹部、及び前記シール部材は電気絶縁性材料からなっている。
【０００６】
また、第２の発明の漏電防止部材は、
帯電させた液滴を噴出する静電噴霧部に対して高電圧を供給するケーブルの長さ方向の途中部に取り付けられ、該静電噴霧部における高電圧が該ケーブルの表面を伝って他の部位へ漏電することを防止するための漏電防止部材であって、
前記ケーブルの途中部と前記他の部位との間に介装され、該途中部及び該他の部位間の間隔を保持するように延設された支持体と、
該支持体の外周の全周に渡って設けられた環状凹部とを備え、
前記支持体、及び前記環状凹部は電気絶縁性材料からなっている。
【０００７】
この構成によれば、前記環状凹部の内側には、前記液滴が入り込み難いので、前記静電噴霧部への前記液滴の付着による連続膜を前記環状凹部で途切れさせるようにすることができる。これにより、導電性を有する前記液滴を通じて前記静電噴霧部の高電圧が前記ケーブルの表面を伝って他の部位に伝わることを防止することができる。従って、静電噴霧部に高電圧を確実に印加することができ、該静電噴霧部による静電機能を安定的に発揮させることができる。
【０００８】
第３の発明の漏電防止部材としては、第１又は２の発明において、
前記環状凹部の奥行きが前記支持体の長さ方向へ延びている態様を例示する。
【０００９】
この構成によれば、前記漏電防止部材の大型化を抑制しつつ、前記環状凹部の奥行きを広く確保することができ、該環状凹部の奥側に前記液滴が、より付着し難くなる。このため、前記静電噴霧部への前記液滴の連続膜を前記環状凹部でより確実に途切れさせることができる。
【００１０】
第４の発明の漏電防止部材としては、第３の発明において、
前記環状凹部の開口部が前記支持体の長さ方向へ向いているとともに、該開口部に対峙して該開口部の開口を狭める鍔部を備えた態様を例示する。
【００１１】
この構成によれば、前記静電噴霧部や前記ケーブルに前記液滴が溜まって前記漏電防止部材側に流れたときに、前記環状凹部内へ流れ込むことを防止することができ、また、空中を浮遊している前記液滴が前記環状凹部内へ入り込むことを防止することができる。
【００１２】
第５の発明の漏電防止部材としては、第３又は４の発明において、
少なくとも一対の前記環状凹部を備え、
該両環状凹部の開口部は互いに反対向きに設けられた態様を例示する。
【００１３】
この構成によれば、前記支持体の長さ方向における両方向に対して前記両環状凹部をそれぞれ開口させることにより、該両方向に対して漏電防止効果を奏させることができる。
【発明の効果】
【００１４】
本発明に係る漏電防止部材によれば、帯電させた液滴を噴出する静電噴霧部に対して高電圧を供給するケーブルの表面を伝うことによる漏電の発生を防止することができるという優れた効果を奏する。
【発明を実施するための最良の形態】
【００１５】
図１及び図２は本発明を具体化した第一実施形態の漏電防止部材１を装着した静電噴霧装置２を示している。静電噴霧装置２は、図１に示すように、作物の病気や虫の防除用薬液を収容し供給するための薬液供給部としての収容タンク１１と、該収容タンク１１から供給される薬液を加圧する薬液圧力発生部としてのポンプ１２と、該ポンプ１２の吐出口にホース１３を介して接続された手持式ノズル部１４と、該手持式ノズル部１４の静電噴霧部１５に高電圧を供給するための高電圧供給部１６とを備えている。
【００１６】
漏電防止部材１は、図２に示すように、帯電させた液滴Ｄからなる噴霧Ｓを噴出する静電噴霧部１５に対して高電圧供給部１６による高電圧を供給するケーブル１８の長さ方向の途中部１８ａに取り付けられ、該静電噴霧部１５における高電圧が該ケーブル１８の表面を伝って他の部位へ漏電することを防止するためのものである。この漏電防止部材１は、筒穴内にケーブル１８の途中部１８ａが挿通されるように構成された筒状の支持体２１と、該支持体２１の一端側に一体形成された円環部２２と、該円環部２２の外周縁部に一体形成されて、支持体２１の他端側へ延びる筒部２３と、支持体２１の両端側において、該支持体２１の内周面と該ケーブル１８の外周面との隙間をそれぞれシールするシール部材２４，２４とを備えている。このように、円環部２２及び筒部２３により、支持体２１の外周には、その全周に渡る環状凹部２５が形成されている。環状凹部２５は、その奥行きが支持体２１の長さ方向へ延びており、その開口部２５ａが支持体２１の長さ方向へ向いている。支持体２１の他端側には、図２に二点鎖線で示すように、環状凹部２５の開口部２５ａに対峙して該開口部２５ａの開口を狭める鍔部２６を設けることもできる。この鍔部２６はゴム又は軟質樹脂からなるもので、その貫通穴２６ａの内縁部は支持体２１の外周に隙間なく密着した状態となるようにする。支持体２１の他端側は、取付部材２７を介して手持式ノズル部１４の噴管１４ａに取り付けられている。支持体２１、環状凹部２５、シール部材２４、及び取付部材２７は電気絶縁性材料からなっている。
【００１７】
以上のように構成された本例の漏電防止部材１によれば、環状凹部２５の内側には、液滴Ｄが入り込み難いので、静電噴霧部１５への液滴Ｄの付着による連続膜Ｍを環状凹部２５で途切れさせるようにすることができる。これにより、導電性を有する液滴Ｄを通じて静電噴霧部１５の高電圧がケーブル１８の表面を伝って他の部位に伝わることを防止することができる。従って、静電噴霧部１５に高電圧を確実に印加することができ、静電噴霧部１５による静電機能を安定的に発揮させることができる。
【００１８】
また、環状凹部２５の奥行きが支持体２１の長さ方向へ延びているので、漏電防止部材１の大型化を抑制しつつ、環状凹部２５の奥行きを広く確保することができ、環状凹部２５の奥側に液滴Ｄが、より付着し難くなる。このため、静電噴霧部１５への液滴Ｄの連続膜Ｍを環状凹部２５でより確実に途切れさせることができる。
【００１９】
また、環状凹部２５の開口部２５ａが支持体２１の長さ方向へ向いており、該開口部２５ａに対峙して該開口部２５ａの開口を狭める鍔部２６を設ければ、静電噴霧部１５やケーブル１８に液滴Ｄが溜まって漏電防止部材１側に流れたときに、環状凹部２５内へ流れ込むことを防止することができ、また、空中を浮遊している液滴Ｄが環状凹部２５内へ入り込むことを防止することができる。
【００２０】
次に、図３は本発明を具体化した第二実施形態を示している。この漏電防止部材３１は、以下に示す点において、主に第一実施形態と相違している。従って、同実施形態と共通する部分については、同一符号を付することにより重複説明を省く（以下の他の実施形態についても同様）。
【００２１】
本例の漏電防止部材３１は、支持体２１の他端側が内穴に挿入される第二円環部３２と、該第二円環部３２の外周縁部に一体形成されて、支持体２１の一端側へ延びる第二筒部３３とを備えた略カップ状部材３４を備えている。第二円環部３２の内穴と支持体２１の外周面との隙間には、該隙間をシールするシール部材３５が介装されている。このように、本例の漏電防止部材３１には、支持体２１の他端側に第二の環状凹部２５を設けるとともに、両環状凹部２５の開口部２５ａが互いに対峙するように、反対向きに設けられている。また、両開口部２５ａの間には、両面が両開口部２５ａにそれぞれ対峙して該両開口部２５ａの開口を狭める鍔部２６を設けている。略カップ状部材３４、シール部材３５、及び鍔部２６も電気絶縁性材料からなっている。
【００２２】
本例の漏電防止部材３１によれば、第一実施形態と同様の効果に加え、支持体２１の長さ方向における両方向に対して両環状凹部２５をそれぞれ開口させることにより、該両方向に対して漏電防止効果を奏させることができる。
【００２３】
次に、図４は本発明を具体化した第三実施形態を示している。この漏電防止部材４１は、以下に示す点において、主に第一実施形態と相違している。
【００２４】
本例の漏電防止部材４１は、噴霧ノズル４２ａから噴出する液滴Ｄを帯電させる静電機能を備えていない噴霧装置４２に対し、静電機能を付加する静電噴霧用電極部４３を支持するための電極支持手段をも兼ねるようになっている。この静電噴霧用電極部４３は、薬液と静電噴霧用電極部４３の間に印加される高電圧により液滴Ｄを帯電させるように構成されており、本例では、この静電噴霧用電極部４３と噴霧ノズル４２ａとにより静電噴霧部が構成されている。静電噴霧用電極部４３は、第一実施形態と同様に構成された漏電防止部材４１の一端側に取り付けられるとともに、漏電防止部材４１の支持体２１内に挿通されたケーブル１８に接続されている。漏電防止部材４１の他端側は、取付部材２７を介して噴霧装置４２の噴管４２ｂに取り付けられている。
【００２５】
本例の漏電防止部材４１によれば、第一実施形態と同様の効果に加え、上記本例特有の効果を得ることができる。
【００２６】
次に、図５及び図６は本発明を具体化した第四実施形態に係る漏電防止部材５１を装着した静電噴霧機５２を示している。この漏電防止部材５１は、以下に示す点において、主に第一実施形態と相違している。
【００２７】
静電噴霧機５２は、上方へ略垂直に延びた状態（図５に実線で示す状態）と、側方へ略水平に延びた状態（図５に二点鎖線で示す状態）との間で回動可能に支持された左右一対のブーム５３を備え、該各ブーム５３には、略等間隔をおいて３つの静電噴霧部１５が列設されている。各静電噴霧部１５には、ケーブル１８で接続された高電圧供給部（図示略）から高電圧が供給されるようになっている。
【００２８】
本例の漏電防止部材５１は、帯電させた液滴Ｄを噴出する静電噴霧部１５に対して高電圧を供給するケーブル１８の長さ方向の途中部１８ａに取り付けられ、該静電噴霧部１５における高電圧が該ケーブル１８の表面を伝って他の部位としてのブーム５３側へ漏電することを防止するためのものである。この漏電防止部材５１は、ケーブル１８の途中部１８ａと、ブーム５３との間に介装され、該途中部１８ａ及びブーム５３間の間隔を保持するように延設された支持体２１と、該支持体２１の一端側に一体形成された円環部２２と、該円環部２２の外周縁部に一体形成されて、支持体２１の他端側へ延びる筒部２３とを備えている。このように、円環部２２及び筒部２３により、支持体２１の外周には、その全周に渡る環状凹部２５が形成されている。環状凹部２５は、その奥行きが支持体２１の長さ方向へ延びており、その開口部２５ａが支持体２１の長さ方向へ向いている。支持体２１の一端側にはホルダ部材５５を介してケーブル１８の途中部１８ａが支持されている。また、支持体２１の他端は、取付部材２７を介してブーム５３に取り付けられている。また、支持体２１の他端側には、環状凹部２５の開口部２５ａに対峙して該開口部２５ａの開口を狭める鍔部２６が設けられている。支持体２１、環状凹部２５、鍔部２６、ホルダ部材５５、及び取付部材２７は電気絶縁性材料からなっている。
【００２９】
本例の漏電防止部材５１によっても、第一実施形態と同様の効果を得ることができる。
【００３０】
なお、本発明は前記実施形態に限定されるものではなく、例えば以下のように、発明の趣旨から逸脱しない範囲で適宜変更して具体化することもできる。
（１）本発明を他の構造の静電噴霧部に対して適用可能に構成すること。
（２）第三又は第四実施形態の漏電防止部材として、第二実施形態と同様に構成（少なくとも一対の環状凹部２５を備え、該両環状凹部２５の開口は互いに反対向きに設けられるように構成）されたものを採用すること。
【図面の簡単な説明】
【００３１】
【図１】本発明を具体化した第一実施形態に係る漏電防止部材を装着した静電噴霧装置の側面図である。
【図２】同漏電防止部材の断面図である。
【図３】本発明を具体化した第二実施形態に係る漏電防止部材の断面図である。
【図４】本発明を具体化した第三実施形態に係る漏電防止部材を装着した静電噴霧装置の正面図である。
【図５】本発明を具体化した第四実施形態に係る漏電防止部材を装着した静電噴霧機の正面図である。
【図６】同漏電防止部材の断面図である。
【図７】従来の静電噴霧装置の断面図である。
【符号の説明】
【００３２】
１    漏電防止部材
１５    静電噴霧部
１８    ケーブル
１８ａ  途中部
２１    支持体
２４    シール部材
２５    環状凹部
２５ａ  開口部
２６    鍔部
３１    漏電防止部材
４１    漏電防止部材
４２    噴霧装置
４３    静電噴霧用電極部
５１    漏電防止部材
Ｄ    液滴
Ｍ    連続膜
Ｓ    噴霧
【図１】
2006136814.tif 000003
【図２】
2006136814.tif 000004
【図３】
2006136814.tif 000005
【図４】
2006136814.tif 000006
【図５】
2006136814.tif 000007
【図６】
2006136814.tif 000008
【図７】
2006136814.tif 000009